【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
コネクターと一致させるための少なくとも１つのコンタクトパッドを持つテストストリップに適用される体液中の重要な検体を測定するために適合される検査装置に使用されるコネクターであって、該コネクターは、
テストストリップが、挿入方向に移動されるときに、テストストリップを受け取るためのスロットを、そこに持っているハウジングと、
該スロットに隣接して配置された少なくとも１つのコンタクトワイヤとからなり、
該コンタクトは、最近接部および最近接部とスロットのあいだに配置されたコンタクト部を持ち、該コンタクトワイヤは、挿入位置でのテストストリップの挿入により、テストストリップが、コンタクト部に触れることもなくコンタクト部に隣接して通過しかつコンタクトワイヤとのテストストリップの最初の関与が、最近接部に起こるようにスロットに関して配置され、
そこでは、挿入方向でのスロット中への該テストストリップの挿入により、テストストリップが、最近接部をテストストリップから遠くに押しやり、またテストストリップのさらなる挿入により、コンタクトワイヤが、ハウジングと連動しかつそこからゆがめられ、それにより、コンタクト部をテストストリップに向けて押し込みまた少なくとも１つのパッドに関与するように押し込むことを特徴とするコネクター。
【請求項２】
該ハウジングは、トップ部と底部を有し、また少なくとも１つのコンタクトワイヤの各々は、第１部分、第２部分および第３部分からなることを特徴とし、少なくとも１つのコンタクトワイヤの各々に対して、該テストストリップが、スロットを経由して挿入されると、テストストリップは、第１部分とハウジングの底部分のあいだを通りまた第１部分には触らなくて、
第１部分を通過した後、テストストリップは、コンタクトワイヤの第３部分とハウジングの底部分のあいだを通り、両者に触れて、コンタクトワイヤの第３部分は、ハウジングの底部分から移動しそしてテストストリップをハウジングの底部分に対して歪めて、
コンタクトワイヤが、ハウジングの底部分から移動するのに対応し、コンタクトワイヤの第２部分が、ハウジングのトップ部分に力を加え、そして
コンタクトワイヤが、ハウジングのトップ部分に力を加えるのに対応して、コンタクトワイヤの第１部分が、少なくとも１つのコンタクトパッドの各々をテストストリップ上に接触させるように、コンタクトワイヤが、変形されることを特徴とする請求項１記載のコネクター。
【請求項３】
コンタクトワイヤの接触部分は、テストストリップの挿入方向に対して実質的に法線方向に、力をハウジングに対して加えることを特徴とする請求項１記載のコネクター。
【請求項４】
コンタクトワイヤの第２部分は、テストストリップの挿入方向に対して実質的に法線方向に、ハウジングトップ部分に対して力を加えることを特徴とする請求項２記載のコネクター。
【請求項５】
コネクターと一致させるための少なくとも１つのコンタクトパッドを持つテストストリップに適用される体液中の重要な検体を測定するために適合される検査装置に使用されるコネクターであって、該コネクターは、
ハウジング遠位端とハウジング最近接端を有するハウジングと、
テストストリップが、挿入方向でハウジング内に挿入されるときに、該テストストリップを受け取るためのハウジング遠位端中に形成されるスロットと、
ハウジング内に定められかつ該スロットに通じているワイヤキャビテイと、
テストストリップが、ハウジング内に挿入されるときに、少なくとも１つのコンタクトパッドの各１つと電気的接触を確立するために、該ワイヤキャビテイ内に配置されている少なくとも１つのコンタクトワイヤと、ワイヤキャビテイ内に配置されかつコンタクトワイヤ遠位端とコンタクトワイヤ最近接端を有している各少なくとも１つのコンタクトワイヤと、コンタクトワイヤ遠位端とコンタクトワイヤ最近接端のあいだに配置されたコンタクトワイヤ湾曲部とからなり、
該ワイヤキャビテイは、テストストリップが、ワイヤキャビテイ内に含まれるときに、テストストリップに対して実質的に垂直な方向で測定される最大高さＨを持っていることを特徴とし、
静隠状態にある各少なくとも１つのコンタクトワイヤは、コンタクトワイヤ湾曲部とコンタクトワイヤ遠位端のあいだに、最大全コンタクトワイヤ高さＣを持っていることを特徴とし、
該テストストリップは、該ワイヤキャビテイ内のテストストリップ最大高さＴを持ち、Ｈ＜Ｃ＋Ｔであることを特徴とするコネクター。
【請求項６】
ハウジングと、
ハウジング中に配置されているコネクターと、
該コネクター中に挿入するために適合されるテストストリップであって、該テストストリップは、その上に少なくとも１つのコンタクトパッドを有し、
該コネクター中に挿入されるテストストリップの少なくとも１つのコンタクトパッドを経由して、電気的応答に基づく出力信号を生じるために適合される電子回路とからなる検査システムであって、
該コネクターは、少なくとも１つのコンタクトワイヤからなり、テストストリップが、コネクター中に挿入されるときに、該テストストリップが、該コンタクトワイヤに対して力を発揮し、該力は、該ハウジングに対してコンタクトワイヤを変形させ、該テストストリップ上のコンタクトパッドとコンタクトワイヤを電気的に通じさせるように、各コンタクトワイヤが、形成されていることを特徴とする検査システム。
【請求項７】
該出力信号が、テストストリップに接触している体液サンプル中の検体の存在または濃度に対応していることを特徴とする請求項６記載の検査システム。
【請求項８】
検査装置内に配置されたコネクターと一致させるための少なくとも１つのコンタクトパッドを持つテストストリップに適用される体液中の重要な検体を測定するために適合される検査装置からなる検査システムであって、該コネクターは、
ハウジング遠位端とハウジング最近接端を有するハウジングと、
テストストリップが、挿入方向でハウジング内に挿入されるときに、該テストストリップを受け取るためのハウジング遠位端中に形成されるスロットと、
ハウジング内に定められかつ該スロットに通じているワイヤキャビテイと、
テストストリップが、ハウジング内に挿入されるときに、少なくとも１つのコンタクトパッドの各１つと電気的接触を確立するために、該ワイヤキャビテイ内に配置されている少なくとも１つのコンタクトワイヤと、ワイヤキャビテイ内に配置されかつコンタクトワイヤ遠位端とコンタクトワイヤ最近接端を有している各少なくとも１つのコンタクトワイヤと、コンタクトワイヤ遠位端とコンタクトワイヤ最近接端のあいだに配置されたコンタクトワイヤ湾曲部とからなり、
該ワイヤキャビテイは、テストストリップが、ワイヤキャビテイ内に含まれるときに、テストストリップに対して実質的に垂直な方向で測定される最大高さＨを持っており、
静隠状態にあるが、各少なくとも１つのコンタクトワイヤは、コンタクトワイヤ湾曲部とコンタクトワイヤ遠位端のあいだに、最大全コンタクトワイヤ高さＣを持っており、
該テストストリップは、該ワイヤキャビテイ内のテストストリップ最大高さＴを持ち、またＨ＜Ｃ＋Ｔであることを特徴とする検査システム。
【請求項９】
コネクターと一致させるための少なくとも１つのコンタクトパッドを持つテストストリップに適用される体液中の重要な検体を測定するために適合される検査装置に使用されるコネクターであって、該コネクターは、
テストストリップが、挿入方向に移動されるときに、テストストリップを受け取るための開口部を、そこに持っているハウジングと、
該開口部に隣接して配置された少なくとも１つのコンタクトワイヤとからなり、
該コンタクトは、最近接部および最近接部と開口部のあいだに配置されたコンタクト部を持ち、該コンタクトワイヤは、挿入位置でのテストストリップの挿入により、テストストリップが、コンタクト部に触れることもなくコンタクト部に隣接して通過しかつコンタクトワイヤとのテストストリップの最初の関与が、最近接部に起こるように開口部に関して配置され、前記コンタクトワイヤがハウジングから離間され、
そこでは、挿入方向での開口部中への該テストストリップの最初の挿入により、テストストリップが、最近接部をテストストリップから遠くに押しやり、またテストストリップのさらなる挿入により、コンタクトワイヤが、ハウジングと連動しかつそこからゆがめられ、それにより、コンタクト部をテストストリップに向けて押し込みまた少なくとも１つのパッドに関与するように押し込むことを特徴とするコネクター。
【請求項１０】
コネクターと一致させるための少なくとも１つのコンタクトパッドを持つテストストリップに適用される体液中の重要な検体を測定するために適合される検査装置に使用されるコネクターであって、該コネクターは、
テストストリップが、挿入方向に移動されるときに、テストストリップを受け取るための開口部を、そこに持っているハウジングと、該ハウジングが端部壁を含み、
該開口部に隣接して配置された少なくとも１つのコンタクトワイヤとからなり、
該コンタクトは、最近接部および最近接部と開口部のあいだに配置されたコンタクト部を持ち、該コンタクトワイヤは、挿入位置でのテストストリップの挿入により、テストストリップが、コンタクト部に触れることもなくコンタクト部に隣接して通過しかつコンタクトワイヤとのテストストリップの最初の関与が、最近接部に起こるように開口部に関して配置され、
そこでは、コネクターは、挿入方向で開口部中にテストストリップが部分的に挿入され、接部がテストストリップに接触せず、テストストリップが、最近接部をテストストリップから遠くに押しやられた最初の挿入位置を有し、またコネクターは、テストストリップが端部壁に接触して開口部に完全に挿入され、コンタクト部をテストストリップに向けて押し込みまた少なくとも１つのパッドに関与するように押し込まれた最終挿入位置を有することを特徴とするコネクター。